(57)【特許請求の範囲】
【請求項１】
装置本体と、
前記装置本体内に収容された収容位置と前記装置本体外に引き出された引出位置とに移動可能に設けられ、複数のカートリッジ収容部を有する保持部材と、
各前記カートリッジ収容部に対応して前記保持部材に設けられた複数の現像器と、
前記保持部材が前記引出位置に引き出された状態で前記カートリッジ収容部に対して着脱可能にそれぞれ構成されており、内部にトナーを収容し、トナーを前記現像器に供給するための開口部が前記カートリッジ収容部に収容された状態で下向きとなるように形成された筐体と、前記開口部を開放する開放位置と前記開口部を閉塞する閉塞位置とに移動可能なシャッタとをそれぞれ有する複数のトナーカートリッジと、
前記保持部材に設けられ、前記カートリッジ収容部を上方に開放する開姿勢と前記カートリッジ収容部に上方から対向する閉姿勢とに変位可能なカバー部材と、
前記保持部材に設けられ、前記シャッタを前記開放位置と前記閉塞位置との間で移動させるために操作される操作部材とを備える、画像形成装置。
【請求項２】
前記カバー部材は、前記カートリッジ収容部に前記トナーカートリッジが装着されているか否かを判断するための判断部を有する、請求項１に記載の画像形成装置。
【請求項３】
前記開姿勢は、前記カバー部材が前記カートリッジ収容部の上方に延びて起立した姿勢であり、
前記閉姿勢は、前記カバー部材が倒伏した姿勢である、請求項１または２に記載の画像形成装置。
【請求項４】
前記カバー部材は、前記操作部材を兼ねている、請求項１〜３のいずれか一項に記載の画像形成装置。
【請求項５】
前記開姿勢は、前記カバー部材が前記閉姿勢から前記カートリッジ収容部に対する前記トナーカートリッジの装着に連動して変位し、前記カートリッジ収容部内で前記トナーカートリッジに側方から対向する姿勢である、請求項１または２に記載の画像形成装置。
【請求項６】
前記カバー部材は、前記カートリッジ収容部の配列方向の一方側に設けられた第１カバー部材と、前記第１カバー部材に対して前記配列方向の他方側に設けられた第２カバー部材とに分割して構成されている、請求項５に記載の画像形成装置。
【請求項７】
前記第１カバー部材の前記配列方向の長さは、前記第２カバー部材の前記配列方向の長さよりも大きい、請求項６に記載の画像形成装置。
【請求項８】
前記カバー部材を前記閉姿勢に向けて付勢する付勢部材を備える、請求項５〜７のいずれか一項に記載の画像形成装置。
【請求項９】
各前記カートリッジ装着部には、互いに種別の異なる前記トナーカートリッジが装着され、
前記カバー部材は、各前記カートリッジ装着部に対応して複数設けられ、当該対応する前記カートリッジ装着部に装着されるべき前記トナーカートリッジと異なる種別の前記トナーカートリッジの装着を防止するための誤装着防止部を有する、請求項１〜８のいずれか一項に記載の画像形成装置。
【請求項１０】
前記カバー部材は、対応する前記カートリッジ装着部に装着されるべき前記トナーカートリッジを表示する表示部を有する、請求項９に記載の画像形成装置。
【発明の詳細な説明】
【技術分野】
【０００１】
本発明は、カラープリンタなどの画像形成装置に関する。
【背景技術】
【０００２】
タンデム型のカラープリンタにおいて、本体ケーシングに対して、イエロー、マゼンタ、シアンおよびブラック用の４つの感光ドラムを一体的に着脱可能な構成としたものが知られている。
【０００３】
この種のカラープリンタでは、たとえば、フレームが本体ケーシング内から水平方向に引き出し可能に設けられている。４つの感光ドラムは、フレームの引き出し方向に並べた状態で、フレームに保持されている。また、フレームには、各感光ドラムに対応して、現像ローラを有する現像カートリッジが着脱可能に上方から装着される。現像カートリッジの内部に収容されているトナーがなくなると、フレームが本体ケーシング外に引き出され、その状態で、トナーのなくなった現像カートリッジがフレームから取り出されて、新品の現像カートリッジがフレームに装着される。
【先行技術文献】
【特許文献】
【０００４】
【特許文献１】特開２００６−９８７７２号公報
【発明の概要】
【発明が解決しようとする課題】
【０００５】
近年、プリンタメーカに対して、低コスト化および環境への配慮が要求されている。低コスト化および環境配慮の面からは、トナーがなくなったときに、現像カートリッジごと新品と交換する方式ではなく、現像ローラをフレームに残した状態で、トナーを収容したトナーカートリッジのみを交換可能な方式（トナーカートリッジ交換方式）が望ましい。
【０００６】
ところが、トナーカートリッジ交換方式を採用した場合、フレームにおけるトナーカートリッジが装着される部分がトナーで汚れるため、フレームの見栄えが悪くなる。また、トナーカートリッジにトナーの流通のための開口部が下向きに形成される構成では、その開口部に対応してフレームに形成されるフレーム側開口部が上向きとなるため、現像ローラを収容する現像器内にフレーム側開口部を介してトナー以外の異物が混入するおそれがある。
【０００７】
本発明の目的は、保持部材の見栄えを良くすることができ、また、現像器へのトナー以外の異物の混入を防止することができる、画像形成装置を提供することである。
【課題を解決するための手段】
【０００８】
前記の目的を達成するため、本発明は、画像形成装置において、装置本体と、前記装置本体内に収容された収容位置と前記装置本体外に引き出された引出位置とに移動可能に設けられ、複数のカートリッジ収容部を有する保持部材と、各前記カートリッジ収容部に対応して前記保持部材に設けられた複数の現像器と、前記保持部材が前記引出位置に引き出された状態で前記カートリッジ収容部に対して着脱可能にそれぞれ構成されており、内部にトナーを収容し、トナーを前記現像器に供給するための開口部が前記カートリッジ収容部に収容された状態で下向きとなるように形成された筐体と、前記開口部を開放する開放位置と前記開口部を閉塞する閉塞位置とに移動可能なシャッタとをそれぞれ有する複数のトナーカートリッジと、前記保持部材に設けられ、前記カートリッジ収容部を上方に開放する開姿勢と前記カートリッジ収容部に上方から対向する閉姿勢とに変位可能なカバー部材とを備えることを特徴としている。
【発明の効果】
【０００９】
本発明によれば、保持部材は、装置本体内に収容された収容位置と装置本体外に引き出された引出位置とに移動可能である。保持部材には、複数のカートリッジ収容部が設けられている。各カートリッジ収容部には、トナーカートリッジが着脱される。このトナーカートリッジの着脱は、保持部材が引出位置に引き出された状態で行うことができる。また、保持部材には、各カートリッジ収容部に対応して、現像器が設けられている。
【００１０】
トナーカートリッジは、内部にトナーを収容する筐体を備えている。筐体には、トナーを現像器に供給するための開口部が形成されている。この開口部は、トナーカートリッジがカートリッジ収容部に収容された状態で下向きとなる。また、トナーカートリッジは、開口部を開放する開放位置と開口部を閉塞する閉塞位置とに移動可能なシャッタを備えている。
【００１１】
そして、保持部材には、カバー部材が設けられている。カバー部材は、開姿勢と閉姿勢とに変位可能である。カバー部材が開姿勢をなす状態で、カートリッジ収容部が上方に開放される。一方、カバー部材が閉姿勢をなす状態では、カバー部材がカートリッジ収容部に上方から対向し、カートリッジ収容部がカバー部材により上方から覆われる。そのため、カートリッジ収容部がトナーで汚れていても、その汚れがユーザなどに見えることを防止できる。その結果、保持部材の見栄えを良くすることができる。また、カートリッジ収容部にトナー以外の異物が入ることを防止でき、異物がトナーカートリッジから現像器へのトナーの供給経路を介して現像器に混入することを防止できる。
【図面の簡単な説明】
【００１２】
【図１】図１は、本発明の一実施形態に係るカラープリンタの断面図である。
【図２】図２は、図１に示されるカラープリンタの斜視図であり、ドロワユニットが収容位置に位置する状態を示す。
【図３】図３は、図１に示されるカラープリンタの斜視図であり、ドロワユニットが引出位置に位置する状態を示す。
【図４Ａ】図４Ａは、図１に示されるドロワユニットおよびトナーカートリッジの斜視図であり、トナーカートリッジがドロワユニットから離脱された状態を示す。
【図４Ｂ】図４Ｂは、図１に示されるドロワユニットおよびトナーカートリッジの右側から見た断面図であり、トナーカートリッジがドロワユニットから離脱された状態を示す。
【図５】図５は、図４Ａに示されるトナーボックスの分解斜視図である。
【図６】図６は、図４Ｂに示される駆動伝達機構の斜視図である。
【図７Ａ】図７Ａは、図１に示されるドロワユニットおよびトナーカートリッジの斜視図であり、トナーカートリッジがドロワユニットに装着され、カバー部材が開姿勢をなした状態を示す。
【図７Ｂ】図７Ｂは、図１に示されるドロワユニットおよびトナーカートリッジの右側から見た断面図であり、トナーカートリッジがドロワユニットに装着され、カバー部材が開姿勢をなした状態を示す。
【図８】図８は、図１に示されるドロワユニットおよびトナーカートリッジの右側から見た断面図であり、トナーカートリッジがドロワユニットに装着され、カバー部材が閉姿勢をなした状態を示す。
【図９Ａ】図９Ａは、第２実施形態に係るドロワユニットおよびトナーカートリッジの斜視図であり、トナーカートリッジがドロワユニットから離脱された状態を示す。
【図９Ｂ】図９Ｂは、図９Ａに示されるドロワユニットおよびトナーカートリッジの右側から見た断面図であり、トナーカートリッジがドロワユニットから離脱された状態を示す。
【図９Ｃ】図９Ｃは、図９Ａに示されるドロワユニットおよびトナーカートリッジの右側から見た断面図であり、トナーカートリッジがドロワユニットから離脱された状態を示す。
【図１０Ａ】図１０Ａは、図９Ａに示されるドロワユニットおよびトナーカートリッジの斜視図であり、トナーカートリッジがドロワユニットに装着される途中で、カバー部材が開姿勢となる途中の状態を示す。
【図１０Ｂ】図１０Ｂは、図９Ａに示されるドロワユニットおよびトナーカートリッジの右側から見た断面図であり、トナーカートリッジがドロワユニットに装着される途中で、カバー部材が開姿勢となる途中の状態を示す。
【図１１Ａ】図１１Ａは、図９Ａに示されるドロワユニットおよびトナーカートリッジの斜視図であり、トナーカートリッジがドロワユニットに装着され、カバー部材が開姿勢をなした状態を示す。
【図１１Ｂ】図１１Ｂは、図９Ａに示されるドロワユニットおよびトナーカートリッジの右側から見た断面図であり、トナーカートリッジがドロワユニットに装着され、カバー部材が開姿勢をなした状態を示す。
【図１２Ａ】図１２Ａは、第３実施形態に係るドロワユニットおよびトナーカートリッジの斜視図であり、トナーカートリッジがドロワユニットから離脱された状態を示す。
【図１２Ｂ】図１２Ｂは、図１２Ａに示されるドロワユニットおよびトナーカートリッジの左側から見た断面図であり、トナーカートリッジがドロワユニットから離脱された状態を示す。
【図１２Ｃ】図１２Ｃは、図１２Ａに示されるドロワユニットおよびトナーカートリッジの右側から見た断面図であり、トナーカートリッジがドロワユニットから離脱された状態を示す。
【図１３】図１３は、変形例に係るドロワユニットの平面図であり、カバー部材が開姿勢をなした状態を示す。
【図１４】図１４は、図１３に示すドロワユニットの平面図であり、トナーカートリッジが装着され、カバー部材が閉姿勢をなした状態を示す。
【図１５Ａ】図１５Ａは、図１４に示すドロワユニットの一部およびトナーカートリッジの斜視図であり、ドロワユニットのスペースに正しいトナーカートリッジが装着され、カバー部材が開姿勢をなした状態を示す。
【図１５Ｂ】図１５Ｂは、図１４に示すドロワユニットの一部およびトナーカートリッジの斜視図であり、ドロワユニットのスペースに正しいトナーカートリッジが装着され、カバー部材が閉姿勢をなした状態を示す。
【図１６Ａ】図１６Ａは、図１４に示すドロワユニットの一部およびトナーカートリッジの斜視図であり、ドロワユニットのスペースに誤ったトナーカートリッジが装着され、カバー部材が開姿勢をなした状態を示す。
【図１６Ｂ】図１６Ｂは、図１４に示すドロワユニットの一部およびトナーカートリッジの斜視図であり、ドロワユニットのスペースに誤ったトナーカートリッジが装着され、カバー部材が閉姿勢に変位できない状態を示す。
【発明を実施するための形態】
【００１３】
以下では、本発明の実施の形態について、添付図面を参照しつつ詳細に説明する。
１．カラープリンタ
図１に示されるように、画像形成装置の一例としてのカラープリンタ１は、タンデム型のカラープリンタである。カラープリンタ１は、図１〜３に示されるように、装置本体の一例としての本体ケーシング２を備えている。本体ケーシング２内には、タンデム型プロセスユニットの一例としてのドロワユニット３が装着されている。本体ケーシング２の前面には、フロントカバー４が開閉可能に設けられている。そして、ドロワユニット３は、フロントカバー４を開けた状態で、本体ケーシング２内の収容位置（図２に示される位置）と本体ケーシング２外の引出位置（図３に示される位置）との間で水平方向に移動させることができる。
【００１４】
なお、フロントカバー４が設けられている側（図１における右側）をカラープリンタ１の前側（正面側）とする。また、カラープリンタ１の上下左右に関しては、カラープリンタ１を前側から見たときを基準とする。また、ドロワユニット３およびこれに装着されるトナーカートリッジ１１の前後上下左右については、本体ケーシング２に装着された状態を基準とする。図２，３では、フロントカバー４の図示が省略されている。
【００１５】
ドロワユニット３には、図１に示されるように、４つの像担持体の一例としての感光ドラム５がそれぞれ左右方向に延びる回転軸線を中心に回転可能に保持されている。４つの感光ドラム５は、ブラック、イエロー、マゼンタおよびシアンの各色用として設けられ、前側からブラック、イエロー、マゼンタおよびシアンの順に前後方向に等間隔で並列に配置されている。
【００１６】
また、ドロワユニット３には、４つの帯電器６が保持されている。４つの帯電器６は、それぞれ感光ドラム５に対応して設けられ、その対応する感光ドラム５の後上方に配置されている。帯電器６は、たとえば、ワイヤおよびグリッドを備えるスコロトロン型帯電器である。
【００１７】
さらに、ドロワユニット３には、４つの現像器７が保持されている。４つの現像器７は、それぞれ感光ドラム５に対応して設けられ、その対応する感光ドラム５の前上方に配置されている。
【００１８】
各現像器７は、現像フレーム８を備えている。現像フレーム８には、現像ローラ９および供給ローラ１０が保持されている。
【００１９】
現像ローラ９は、左右方向に延びる回転軸線を中心に回転可能に設けられ、感光ドラム５に接触するように配置されている。
【００２０】
供給ローラ１０は、左右方向に延びる回転軸線を中心に回転可能に設けられ、現像ローラ９に対して前上方から接触するように配置されている。
【００２１】
ドロワユニット３において、各現像器７の上部には、トナーを収容するトナーカートリッジ１１を装着するためのカートリッジ収容部の一例としてのスペース１２が設けられている。トナーカートリッジ１１は、ドロワユニット３が引出位置に引き出された状態で、ドロワユニット３の上方から各現像器７の上方のスペース１２に装着される。現像器７には、トナーカートリッジ１１からトナーが供給される。
【００２２】
本体ケーシング２内において、ドロワユニット３の上方には、各色に対応した４本のレーザビームを出射する露光器１３が配置されている。
【００２３】
感光ドラム５の回転に伴って、感光ドラム５の表面は、帯電器６からの放電によって一様に帯電された後、露光器１３からのレーザビームにより選択的に露光される。この露光によって、感光ドラム５の表面から電荷が選択的に除去され、感光ドラム５の表面に静電潜像が形成される。静電潜像が現像ローラ９に対向すると、現像ローラ９から静電潜像にトナーが供給される。これによって、感光ドラム５の表面にトナー像が形成される。
【００２４】
なお、露光器１３に代えて、４つのＬＥＤアレイが各感光ドラム５に対応して設けられてもよい。
【００２５】
本体ケーシング２の底部には、用紙Ｐを収容する給紙カセット１４が配置されている。給紙カセット１４に収容されている用紙Ｐは、各種ローラにより、搬送ベルト１５上に搬送される。搬送ベルト１５は、４つの感光ドラム５に下方から対向して配置されている。感光ドラム５に対して搬送ベルト１５の上側部分を挟んで対向する各位置には、転写ローラ１６が配置されている。搬送ベルト１５上に搬送された用紙Ｐは、搬送ベルト１５の走行により、搬送ベルト１５と各感光ドラム５との間を順次に通過する。そして、感光ドラム５の表面上のトナー像は、用紙Ｐと対向したときに、用紙Ｐに転写される。
【００２６】
搬送ベルト１５に対して用紙Ｐの搬送方向における下流側には、定着器１７が設けられている。トナー像が転写された用紙Ｐは、定着器１７に搬送される。定着器１７では、加熱および加圧により、トナー像が用紙Ｐに定着される。トナー像が定着した用紙Ｐは、各種ローラにより、本体ケーシング２の上面の排紙トレイ１８に排出される。
【００２７】
なお、図２，３では、排紙トレイ１８の図示が省略されている。
２．ドロワユニット
（１）ドロワフレーム
図４Ａに示されるように、ドロワユニット３は、保持部材の一例としてのドロワフレーム３１を備えている。ドロワフレーム３１は、左右方向に間隔を空けて対向する１対の側板３２，３３と、側板３２，３３の各前端部間に架設されるフロントビーム３４と、側板３２，３３の各後端部間に架設される図示されないリヤビームとを備え、全体として、平面視で四角枠状をなしている。
【００２８】
４つの感光ドラム５、４つの帯電器６および４つの現像器７（図１参照）は、側板３２，３３により、その左右両側から挟まれた状態で一括して保持されている。そして、側板３２，３３の間において、各現像器７の上方にトナーカートリッジ１１を装着するためのスペース１２が設けられている。言い換えれば、側板３２，３３は、各４つの感光ドラム５、帯電器６および現像器７を保持するとともに、トナーカートリッジ１１を装着するためのスペース１２を確保する間隔を左右方向に空けて、左右方向において互いに対向している。
（２）操作部材
右側の側板３３には、４つの操作部材３７がそれぞれスペース１２に対応して設けられている。操作部材３７は、左右方向に延び、側板３３を回転可能に貫通する軸３８と、軸３８に相対回転不能に結合されたレバー３９とを有している。そして、操作部材３７は、軸３８を支点とする揺動により、レバー３９が水平方向に延びる第１位置と、レバー３９が前下がりに傾斜する第２位置（図４Ａに示される位置）とに移動可能である。
（３）現像フレーム
図４Ｂに示されるように、現像フレーム８は、前後方向に等間隔で配置され、側板３２，３３間に架設されている。トナーカートリッジ１１を装着するための各スペース１２は、現像フレーム８によって区切られている。
【００２９】
現像フレーム８には、現像ローラ９を収容する現像室４１が形成されている。現像室４１は、感光ドラム５側が開放されており、この現像室４１における開放側の端部に、現像ローラ９が配置されている。
【００３０】
現像フレーム８は、現像室４１とトナーカートリッジ１１を装着するためのスペース１２との間に、現像室４１側に向けて円弧状に凸湾曲した板状の仕切壁４２を有している。この仕切壁４２により、現像フレーム８内が現像室４１とその上方のスペース１２とに仕切られている。仕切壁４２の周方向の中央部には、スペース１２にトナーカートリッジ１１が装着された状態で、そのトナーカートリッジ１１に形成されている３つの連通口５８（図５参照）と対向する位置に、３つの矩形状の開口４３が形成されている。
【００３１】
また、現像フレーム８は、仕切壁４２の上端から上方に延びるスペース仕切壁４０を有している。各スペース仕切壁４０により、各現像フレーム８の上方のスペース１２が仕切られている。
（４）シャッタ駆動部材
仕切壁４２の上方には、後述するシャッタ７３を駆動するためのシャッタ駆動部材４４が移動可能に配置されている。
【００３２】
シャッタ駆動部材４４は、仕切壁４２にほぼ沿うように現像室４１側に向けて円弧状に凸湾曲した板状をなしている。シャッタ駆動部材４４の下面の左右両端部には、ラックギヤ４５が形成されている。シャッタ駆動部材４４の上面には、後述する各シャッタ駆動用開口８８と対応する位置に、シャッタ駆動用突起４６が形成されている。
（５）カバー部材
ドロワフレーム３１には、各スペース１２に対応して、カバー部材４７が設けられている。カバー部材４７は、左右方向に延びる略矩形平板状をなしている。カバー部材４７は、左右方向に延びる一端部がスペース仕切壁４０の上端部に回動可能に結合されており、スペース仕切壁４０の上端部から鉛直上方に延びて起立した開姿勢（図４Ａ，４Ｂ参照）と、他端部が前側に倒伏して、ドロワフレーム３１の上端面に沿って延びる閉姿勢（図３参照）とに変位可能に設けられている。
【００３３】
図３に示されるように、カバー部材４７が閉姿勢をなす状態において、カバー部材４７の前右角部４８は、矩形状に切り欠かれており、その切り欠かれた前右角部４８には、前上方に傾斜して延びて前方に屈曲し、前方にさらに延びる摘み部４９が形成されている。この摘み部４９が形成されていることにより、カバー部材４７が閉姿勢をなす状態で、摘み部４９の下方の空間５０を通して、ドロワフレーム３１内がその外部から視認可能となっている。よって、スペース１２にトナーカートリッジ１１が装着された状態で、カバー部材４７が閉姿勢をなしていても、ユーザなどは、摘み部４９の下方の空間５０を通して、その装着されているトナーカートリッジ１１を視認することができ、トナーカートリッジ１１の装着を確認することができる。したがって、摘み部４９の下方の空間５０は、判断部の一例であると言える。
（６）案内溝
左側の側板３２の内側面（右側面）には、図４Ａに示されるように、各スペース１２に対応して、２つの案内溝１１０，１１１が互いに前後方向に間隔を空けて形成されている。各案内溝１１０，１１１は、上下方向に延び、上方に開放されている。前側の案内溝１１０は、後側の案内溝１１１よりも上下方向に長く延びている。
【００３４】
また、右側の側板３３の内側面（左側面）には、２つの案内溝１１２，１１３が互いに前後方向に間隔を空けて形成されている。案内溝１１２，１１３は、上下方向に延び、上方に開放されている。前側の案内溝１１２は、後側の案内溝１１３よりも上下方向に長く延びている。
３．トナーカートリッジ
（１）筐体
図５に示されるように、トナーカートリッジ１１は、内部にトナーを収容する樹脂製の筐体５１を備えている。筐体５１は、左右方向に延びる中空の略半円柱状に形成されている。具体的には、筐体５１は、内部にトナーを収容する空間が形成され、左右に長い略長方形状の上面５２と、上面５２の前端縁に接続され、下方に向けて凸湾曲する断面略半円弧状の外周面の一例としての円弧面５３と、円弧面５３の後端縁から後方に向けて上面５２と平行に延びる固定面５４と、上面５２の後端縁と固定面５４の後端縁とに跨がる後面５５と、上面５２、円弧面５３、固定面５４および後面５５の各左端縁間に跨がる左側面５６と、上面５２、円弧面５３、固定面５４および後面５５の各右端縁間に跨がる右側面５７とを有する形状をなしている。
【００３５】
円弧面５３には、その最下端よりも少し後方の部分に、筐体５１の内外を連通する３つの開口部の一例としての連通口５８が形成されている。３つの連通口５８は、左右方向に間隔を空けて並べて形成され、それぞれ左右方向に長い長方形状をなしている。
【００３６】
また、円弧面５３には、各連通口５８の左右両側に、円弧面５３の周方向に延びる細長い溝状の逃がし用溝５９が形成されている。
【００３７】
円弧面５３の前端部には、図４Ａに示されるように、複数の位置決め用突起６０が左右方向に間隔を空けて形成されている。各位置決め用突起６０は、前方に延び、屈曲して上方に延びる鉤状をなしている。
【００３８】
左側面５６には、図５に示されるように、円弧面５３の周縁に囲まれる部分の中央より少し前寄りの位置に、円柱状の被案内突起６１が突設されている。また、左側面５６の後上端部には、円柱状の被案内突起６２が突設されている。
【００３９】
右側面５７には、図４Ａに示されるように、その前端部の上下方向中央に、円柱状の被案内突起６３が突設されている。また、右側面５７の後上端部には、円柱状の被案内突起６４が突設されている。
【００４０】
トナーカートリッジ１１は、図５に示されるように、筐体５１の円弧面５３に貼着されるトナーシール７１と、円弧面５３を覆うように設けられるシャッタカバー７２と、円弧面５３とシャッタカバー７２との間に設けられるシャッタ７３とをさらに備えている。
（２）トナーシール
トナーシール７１は、各連通口５８に対応して設けられている。トナーシール７１は、連通口５８に対応した開口７４を有するシート状に形成されている。そして、トナーシール７１は、連通口５８と開口７４とが対向して連通するように位置合わせされて、筐体５１の円弧面５３に貼着され、連通口５８の周囲を取り囲んでいる。
（３）シャッタカバー
シャッタカバー７２は、樹脂フィルムからなり、筐体５１の円弧面５３に沿って湾曲している。シャッタカバー７２の左右方向の幅は、円弧面５３の左右方向の幅とほぼ等しく、シャッタカバー７２は、円弧面５３を左右方向のほぼ全幅にわたって被覆している。
【００４１】
シャッタカバー７２の前端部には、複数の位置決め用開口８０が左右方向に間隔を空けて形成されている。各位置決め用開口８０には、図４Ａに示されるように、筐体５１の円弧面５３に形成された位置決め用突起６０が係合している。より具体的には、シャッタカバー７２の前端部には、各位置決め用突起６０と左右方向において同じ位置に、位置決め用突起６０を挿通可能なサイズの位置決め用開口８０が形成されている。そして、各位置決め用開口８０には、位置決め用突起６０が挿通されて、その上端縁が位置決め用突起６０に係止されている。
【００４２】
また、シャッタカバー７２の後端部は、筐体５１の固定面５４に沿うように折り曲げられている。このシャッタカバー７２の後端部には、図５に示されるように、複数のビス挿通孔８１が左右方向に間隔を空けて形成されている。そして、各位置決め用開口８０と位置決め用突起６０とが係合され、各ビス挿通孔８１にビスが挿通されて、各ビスの先端部が筐体５１の固定面５４にねじ込まれることにより、シャッタカバー７２が筐体５１に取り付けられている。
【００４３】
また、シャッタカバー７２には、各トナーシール７１と対向する位置に、トナー流通用開口８３が形成されている。トナー流通用開口８３は、左右方向に長い長方形状をなし、その開口面積が連通口５８の開口面積よりも大きく、連通口５８の全域を露出させるように形成されている。
【００４４】
さらに、シャッタカバー７２には、筐体５１の各逃がし用溝５９と対向する位置に、前後方向（シャッタカバー７２の周方向）に長く延びるガイド用開口８５が形成されている。ガイド用開口８５の前後方向の長さは、逃がし用溝５９の前後方向の長さ以上である。また、ガイド用開口８５の左右方向の幅は、逃がし用溝５９の左右方向の幅以上である。そして、ガイド用開口８５は、逃がし用溝５９の全体と対向している。
（４）シャッタ
シャッタ７３は、樹脂フィルムからなり、筐体５１の円弧面５３に沿って湾曲している。シャッタ７３の左右方向の幅は、シャッタカバー７２の左右方向の幅よりも少し小さい。また、シャッタ７３は、円弧面５３に沿う方向において、トナーシール７１の円弧面５３に沿う方向の幅よりも大きく、シャッタ７３が後述する開放位置と閉塞位置との間で移動されたときに、シャッタ７３が筐体５１の固定面５４および位置決め用突起６０に当接しないような幅を有している。
【００４５】
シャッタ７３には、筐体５１の各逃がし用溝５９と対向する位置に、２つのシャッタ駆動用開口８８がシャッタ７３の周方向に間隔を開けて形成されている。シャッタ７３が開放位置および閉塞位置のいずれに位置している状態においても、すべてのシャッタ駆動用開口８８が逃がし用溝５９と対向し、シャッタカバー７２のガイド用開口８５と対向して連通するように、その各位置における２つのシャッタ駆動用開口８８の間隔が決められている。
【００４６】
そして、シャッタ７３は、筐体５１の円弧面５３とシャッタカバー７２との間に挟まれて、それらにより保持された状態で、開放位置と閉塞位置との間で移動される。
【００４７】
開放位置において、シャッタ７３の後端部は、トナーシール７１の前端部とシャッタカバー７２との間に挟まれる。そのため、筐体５１の連通口５８およびトナーシール７１の開口７４が互いに連通した状態で開放され、筐体５１の内外が連通する。
【００４８】
一方、閉塞位置は、開放位置に対して後側の位置である。閉塞位置において、シャッタ７３の後端縁は、トナー流通用開口８３の後端縁よりもわずかに後側に位置する。そのため、筐体５１の連通口５８およびトナーシール７１の開口７４の全域がシャッタ７３により覆われ、筐体５１の内外がシャッタ７３により遮断される。このとき、トナーシール７１は、シャッタ７３と筐体５１の円弧面５３との間に挟まれる。
４．駆動伝達機構
ドロワフレーム３１内には、各シャッタ駆動部材４４に対応して、シャッタ駆動部材４４に駆動力を伝達するための駆動伝達機構が設けられている。
【００４９】
ドロワフレーム３１内において、図６に示されるように、操作部材３７の軸３８の先端部（左端部）には、駆動ギヤ９１が相対回転不能に取り付けられている。駆動ギヤ９１には、右ピニオンギヤ９２が噛合している。右ピニオンギヤ９２は、左右方向に幅を有しており、その右端部で駆動ギヤ９１と噛合し、その駆動ギヤ９１との噛合部分に対する左側でシャッタ駆動部材４４の右側のラックギヤ４５に噛合している。一方、左側のラックギヤ４５には、左ピニオンギヤ９３が噛合している。右ピニオンギヤ９２と左ピニオンギヤ９３とは、連結軸９４で連結されている。
【００５０】
操作レバー３７が操作されて、駆動ギヤ９１が回転すると、駆動ギヤ９１から右ピニオンギヤ９２に回転力が与えられる。右ピニオンギヤ９２に与えられた回転力は、右側のラックギヤ４５に入力されるとともに、連結軸９４および左ピニオンギヤ９３を介して、左側のラックギヤ４５に入力される。これにより、シャッタ駆動部材４４が仕切壁４２に沿って前後方向に移動し、シャッタ駆動部材４４とともにシャッタ７３が開放位置と閉塞位置との間で移動する。
５．トナーカートリッジの着脱
（１）トナーカートリッジの装着
トナーカートリッジ１１は、ドロワユニット３（ドロワフレーム３１）が本体ケーシング２外の引出位置（図３参照）に引き出された状態で、図４Ａ，４Ｂに示されるように、ドロワフレーム３１内の各スペース１２に対して上方から着脱される。なお、このスペース１２に対するトナーカートリッジ１１の装着は、現像器７に対するトナーカートリッジ１１の装着とも考えられる。
【００５１】
トナーカートリッジ１１がドロワユニット３から離脱した状態で、シャッタ７３は、閉塞位置に位置している。
【００５２】
トナーカートリッジ１１がスペース１２に装着されるときには、図４Ａ，４Ｂに示されるように、そのスペース１２に対応するカバー部材４７が開姿勢とされる。また、操作部材３７は、第２位置に位置している。そして、筐体５１の左側面５６に突設された被案内突起６１，６２がそれぞれ側板３２の案内溝１１０，１１１に上方から差し込まれる。また、筐体５１の右側面５７に突設された被案内突起６３，６４がそれぞれ側板３３の案内溝１１２，１１３に上方から差し込まれる。これにより、被案内突起６１〜６４が案内溝１１０〜１１３に案内されて、図７Ａ，７Ｂに示されるように、トナーカートリッジ１１がスペース１２に装着される。
【００５３】
トナーカートリッジ１１がスペース１２に装着されると、各シャッタ駆動用突起４６がガイド用開口８５を介して各シャッタ駆動用開口８８に係合し、シャッタ７３とシャッタ駆動部材４４との結合が達成される。
【００５４】
その後、カバー部材４７が開姿勢から図８に示される閉姿勢に変位される。また、操作部材３７が第２位置から第１位置に移動される。操作部材３７の移動に伴い、駆動ギヤ９１が右側から見て時計回りに回転する。そして、駆動ギヤ９１の回転に伴って、右ピニオンギヤ９２および左ピニオンギヤ９３が右側から見て反時計回りに回転し、右ピニオンギヤ９２および左ピニオンギヤ９３の回転がシャッタ駆動部材４４のラックギヤ４５に伝達される。これにより、シャッタ駆動部材４４が開口４３と対向する位置から開口４３と対向しない位置まで前方に移動する。このシャッタ駆動部材４４の移動に伴って、シャッタ７３は、シャッタ駆動部材４４と一体的に閉塞位置から前方に移動し、図１に示される開放位置に配置される。
【００５５】
カバー部材４７が閉姿勢をなす状態では、カバー部材４７がトナーカートリッジ１１に上方から対向し、トナーカートリッジ１１の上方がカバー部材４７により覆われる。そのため、トナーカートリッジ１１をドロワフレーム３１から抜き出すことはできない。すなわち、カバー部材４７は、ドロワフレーム３１からのトナーカートリッジ１１の離脱を規制するための規制部として機能する。
【００５６】
この後、フロントカバー４（図１参照）が閉じられると、カラープリンタ１における画像形成動作を開始することができる。
（２）トナーカートリッジの離脱
トナーカートリッジ１１がドロワユニット３から取り外されるときには、フロントカバー４が開かれて、ドロワユニット３が収容位置から引出位置に引き出される。
【００５７】
そして、操作部材３７が第１位置から第２位置に移動される。操作部材３７の移動に伴い、駆動ギヤ９１が右側から見て反時計回りに回転し、右ピニオンギヤ９２および左ピニオンギヤ９３が右側から見て時計回りに回転する。右ピニオンギヤ９２および左ピニオンギヤ９３の回転は、シャッタ駆動部材４４のラックギヤ４５に伝達される。これにより、シャッタ駆動部材４４が開口４３と対向する位置から開口４３と対向しない位置まで後方に移動する。このシャッタ駆動部材４４の移動に伴って、シャッタ７３は、シャッタ駆動部材４４と一体的に開放位置から後方に移動し、閉塞位置に配置される。
【００５８】
その後、カバー部材４７が図８に示される閉姿勢から図７Ａ，７Ｂに示される開姿勢に変位される。
【００５９】
そして、図４Ａ，４Ｂに示されるように、トナーカートリッジ１１がスペース１２から上方に引き上げられる。トナーカートリッジ１１がドロワユニット３から取り外された状態では、シャッタ７３が閉塞位置に配置されているので、その取り出されたトナーカートリッジ１１の筐体５１内からトナーがこぼれるおそれはない。
６．作用効果
（１）作用効果１
以上のように、ドロワフレーム３１は、本体ケーシング２内に収容された収容位置と本体ケーシング２外に引き出された引出位置とに移動可能である。ドロワフレーム３１には、４つのスペース１２が設けられている。各スペース１２には、トナーカートリッジ１１が着脱される。このトナーカートリッジ１１の着脱は、ドロワフレーム３１が引出位置に引き出された状態で行うことができる。また、ドロワフレーム３１には、各スペース１２に対応して、現像器７が設けられている。
【００６０】
トナーカートリッジ１１は、内部にトナーを収容する筐体５１を備えている。筐体５１には、トナーを現像器７に供給するための連通口５８が形成されている。この連通口５８は、トナーカートリッジ１１がスペース１２に収容された状態で下向きとなる。また、トナーカートリッジ１１は、連通口５８を開放する開放位置と連通口５８を閉塞する閉塞位置とに移動可能なシャッタ７３を備えている。
【００６１】
そして、ドロワフレーム３１には、カバー部材４７が設けられている。カバー部材４７は、開姿勢と閉姿勢とに変位可能である。カバー部材４７が開姿勢をなす状態で、スペース１２が上方に開放される。一方、カバー部材４７が閉姿勢をなす状態では、カバー部材４７がスペース１２に上方から対向し、スペース１２がカバー部材４７により上方から覆われる。そのため、スペース１２がトナーで汚れていても、その汚れがユーザなどに見えることを防止できる。その結果、ドロワフレーム３１の見栄えを良くすることができる。また、スペース１２にトナー以外の異物が入ることを防止でき、異物がトナーカートリッジ１１から現像器７へのトナーの供給経路を介して現像器７（現像室４１）に混入することを防止できる。
（２）作用効果２
カバー部材４７には、スペース１２にトナーカートリッジ１１が装着されているか否かを判断するための判断部の一例として、摘み部４９の下方に空間５０が形成されている。そのため、カラープリンタ１のユーザなどがスペース１２にトナーカートリッジ１１が装着されているか否かを容易に確認することができる。
（３）作用効果３
カバー部材４７の開姿勢は、カバー部材４７がスペース１２の上方に延びて起立した姿勢である。一方、カバー部材４７の閉姿勢は、カバー部材４７が倒伏した姿勢である。よって、カバー部材４７を起立／倒伏させることにより、カバー部材４７を開姿勢と閉姿勢とに容易に変位させることができる。
（４）作用効果４
ドロワフレーム３１には、シャッタ７３を開放位置と閉塞位置との間で移動させるために操作される操作部材３７が備えられている。よって、操作部材３７の操作により、シャッタ７３を開放位置と閉塞位置との間で確実かつ容易に移動させることができる。
７．第２実施形態
次に、本発明の第２実施形態について説明する。
【００６２】
なお、以下では、第２実施形態に係る各部については、前述した各部と構成が異なる部分についてのみ説明する。
（１）構成
図９Ａ，９Ｂ，９Ｃ，１０Ａ，１０Ｂ，１１Ａ，１１Ｂに示される構成では、ドロワフレーム３１の各スペース１２に対応して、第１カバー部材２０１および第２カバー部材２０２からなるカバー部材２０３が設けられている。
【００６３】
第１カバー部材２０１および第２カバー部材２０２は、カバー部材２０３の閉姿勢（第１カバー部材２０１および第２カバー部材２０２がドロワフレーム３１の上端面に沿って延びる姿勢）において、前後にほぼ隙間なく並んで配置されている。第１カバー部材２０１および第２カバー部材２０２は、どちらも左右方向に延びる略矩形平板状をなしている。
【００６４】
第１カバー部材２０１は、その左右方向と直交する方向の長さが第２カバー部材２０２における左右方向と直交する方向の長さより大きい。第１カバー部材２０１は、左右方向にのびる一端部がドロワフレーム３１に回動可能に支持されている。第１カバー部材２０１は、カバー部材２０３の閉姿勢において、回動軸線から後方に延び、その上面が側壁３２，３３の上端面とほぼ面一をなす。また、第１カバー部材２０１は、カバー部材２０３の開姿勢において、スペース１２内に配置され、その回動軸線から鉛直下方に延びる。
【００６５】
そして、図９Ｃに示されるように、ドロワフレーム３１の左側の側壁３２には、各第１カバー部材２０１の回動軸線の近傍に、左方に延びるボス２０４が立設されている。このボス２０４には、付勢部材の一例としての線ばね２０５が巻回されている。線ばね２０５の一端部は、ボス２０４から下方に延び、ドロワフレーム３１に対して固定されている。線ばね２０５の他端部は、ボス２０４から後方に延び、第１カバー部材２０１の内面に固定されている。第１カバー部材２０１は、線ばね２０５の弾性力により、第１カバー部材２０１の後端部が持ち上がる方向に付勢されている。
【００６６】
第２カバー部材２０２は、左右方向にのびる一端部がドロワフレーム３１に回動可能に支持されている。第２カバー部材２０２は、カバー部材２０３の閉姿勢において、回動軸線から前方に延び、その上面が側壁３２，３３の上端面とほぼ面一をなす。また、第２カバー部材２０２は、カバー部材２０３の開姿勢において、スペース１２内に配置され、その回動軸線から鉛直下方に延びる。
【００６７】
そして、図９Ｂに示されるように、ドロワフレーム３１の左側の側壁３２には、各第２カバー部材２０２の回動軸線の近傍に、右方に延びるボス２０６が立設されている。このボス２０６には、付勢部材の一例としての線ばね２０７が巻回されている。線ばね２０７の一端部は、ボス２０６から下方に延び、ドロワフレーム３１に対して固定されている。線ばね２０７の他端部は、ボス２０６から前方に延び、第２カバー部材２０２の内面に固定されている。第２カバー部材２０２は、線ばね２０７の弾性力により、第２カバー部材２０２の前端部が持ち上がる方向に付勢されている。
【００６８】
なお、図９Ｂに示される断面と図９Ｃに示される断面とでは、左右方向における切断位置が異なる。
【００６９】
この構成では、スペース１２に対するトナーカートリッジ１１の装着前において、図９Ａ，９Ｂ，９Ｃに示されるように、カバー部材２０３が閉姿勢をなしている。トナーカートリッジ１１は、スペース１２に対して上方から着脱される。
【００７０】
トナーカートリッジ１１がスペース１２に向けて下降されると、トナーカートリッジ１１が第１カバー部材２０１および第２カバー部材２０２に当接する。この当接後、トナーカートリッジ１１がさらに下降されると、図１０Ａ，１０Ｂに示されるように、トナーカートリッジ１１により、第１カバー部材２０１の後端部および第２カバー部材２０２の前端部が押し下げられる。これにより、第１カバー部材２０１および第２カバー部材２０２は、スペース１２内に向けて回動する。
【００７１】
そして、図１１Ａ，１１Ｂに示されるように、トナーカートリッジ１１がスペース１２に装着されると、第１カバー部材２０１および第２カバー部材２０２は、それぞれ鉛直下方に延び、トナーカートリッジ１１に対してそれぞれ前側および後側から対向し、カバー部材２０３が開姿勢となる。
【００７２】
一方、スペース１２からトナーカートリッジ１１が上方に引き出されると、トナーカートリッジ１１の移動に伴って、第１カバー部材２０１および第２カバー部材２０２は、それぞれ線ばね２０５，２０７による付勢により、それぞれ後端部および前端部が持ち上がる方向に回動する。そして、トナーか^-とリッジ１１が第１カバー部材２０１および第２カバー部材２０２から離れると、カバー部材２０３が閉姿勢となる。
（２）作用効果
この構成によれば、図４Ａ，４Ｂに示される構成と同様の作用効果に加えて、以下の作用効果を奏することができる。
（２−１）作用効果１
スペース１２に対するトナーカートリッジ１１の装着に連動して、カバー部材２０３は、閉姿勢から開姿勢に変位する。そして、カバー部材２０３の開姿勢は、スペース１２内でトナーカートリッジ１１に側方から対向する姿勢である。よって、開姿勢のカバー部材２０３がスペース１２に対するトナーカートリッジ１１の着脱の邪魔になることを防止できる。
（２−２）作用効果２
カバー部材２０３は、相対的に前方に設けられた第１カバー部材２０１と、相対的に後方に設けられた第２カバー部材２０２とに分割して構成されている。そのため、第１カバー部材２０１および第２カバー部材２０２の長さ（開姿勢における上下方向の長さ）が短い。よって、カバー部材２０３が閉姿勢でスペース１２内に配置される構成が採用されても、スペース１２の上下方向のサイズが大きくなることを防止できる。
（２−３）作用効果３
また、第１カバー部材２０１の長さは、第２カバー部材２０２の長さよりも大きい。これにより、第１カバー部材２０１および第２カバー部材２０２が閉姿勢から開姿勢に変位するときに、それらが開姿勢をなすタイミングを異ならせることができる。また、第１カバー部材２０１および第２カバー部材２０２が開姿勢から閉姿勢に変位するときに、それらが閉姿勢をなすタイミングを異ならせることができる。これらのタイミングが異なることにより、第１カバー部材２０１および第２カバー部材２０２がそれぞれ変位する途中で互いに干渉することを防止できる。
（２−４）作用効果４
カバー部材２０３を閉姿勢に向けて付勢する線ばね２０５，２０７が設けられている。具体的には、第１カバー部材２０１を閉姿勢に向けて付勢する線ばね２０５と、第２カバー部材２０２を開姿勢に向けて付勢する線ばね２０７とが設けられている。そのため、スペース１２にトナーカートリッジ１１が装着されていない状態において、カバー部材２０３を閉姿勢に保持することができる。
３．第３実施形態
次に、本発明の第３実施形態について説明する。
【００７３】
なお、以下では、第３実施形態に係る各部については、前述した各部と構成が異なる部分についてのみ説明する。
（１）構成
図１２Ａ，１２Ｂ，１２Ｃに示される構成では、ドロワフレーム３１の各スペース１２に対応して、操作部材を兼ねるカバー部材１０１が設けられている。カバー部材１０１は、左右方向に延びる平板状のカバー本体部１０２と、カバー本体部１０２の左端部に接続された側面視略１／４扇形状の駆動ギヤ部１０３とを一体的に有している。そして、カバー部材１０１は、カバー本体部１０２がドロワフレーム３１の上方に突出して延び上がる開姿勢と、カバー本体部１０２がドロワフレーム３１の上端縁に沿って延びる閉姿勢とに変位可能に設けられている。
【００７４】
以下、カバー部材１０１の構成についての説明は、カバー部材１０１が開姿勢をなす状態に基づく。
【００７５】
カバー本体部１０２は、スペース１２の上方をそのほぼ全域にわたって覆うことができるサイズに形成されている。
【００７６】
駆動ギヤ部１０３は、扇形状の一方の半径をなす部分がカバー本体部１０２に接続されて、扇形状の円弧をなす部分が前上方に膨出するように形成されている。駆動ギヤ部１０３には、図１２Ｂに示されるように、その扇形状の中心付近に、左右方向に延びる揺動軸１０６が回転可能に挿通されている。揺動軸１０６の左端部は、左側の側板３２に相対回転不能に支持されている。これにより、カバー部材１０１は、揺動軸１０６を介して側板３２に揺動可能に支持されている。そして、カバー部材１０１は、揺動軸１０６を支点とする揺動により、開姿勢と閉姿勢とに変位することができる。
【００７７】
駆動ギヤ部１０３における扇形状の円弧をなす部分の下半分の部分には、ギヤ歯１０７が形成されている。
【００７８】
駆動ギヤ部１０３の右側面には、図１２Ｃに示されるように、案内部の一例としての案内溝１０８が形成されている。案内溝１０８は、扇形状の円弧をなす部分の上半分の部分において開放され、下方に延び、後下方に屈曲して、揺動軸１０６が挿通されている部分まで延びている。また、駆動ギヤ部１０３には、案内溝１０８の上端とカバー本体部１０２の内面との間に、後上がり（前下がり）に傾斜する傾斜案内面１０９が形成されている。
【００７９】
トナーカートリッジ１１の筐体５１の左側面５６には、図５に示される被案内突起６１に代えて、円柱状のボス１１０が突設されている。このボス１１０には、被駆動ギヤ１１１が回動可能に保持されている。
【００８０】
また、ドロワフレーム３１内には、図１２Ｂに示されるように、トナーカートリッジ１１がスペース１２に装着された状態で被駆動ギヤ１１１が噛合する第１伝達ギヤ９２と、第１伝達ギヤ９２に噛合する第２伝達ギヤ９３と、第２伝達ギヤ９３およびラックギヤ４５に噛合する第３伝達ギヤ９４とを備えている。第１伝達ギヤ９２、第２伝達ギヤ９３および第３伝達ギヤ９４は、ドロワフレーム３１の左側の側板３２に回転可能に保持されている。
【００８１】
被駆動ギヤ１１１が回転されると、この被駆動ギヤ１１１から第１伝達ギヤ９２に回転力が与えられ、第１伝達ギヤ９２が回転する。第１伝達ギヤ９２に与えられた回転力は、第２伝達ギヤ９３および第３伝達ギヤ９４を介して、ラックギヤ４５に伝達される。これにより、シャッタ駆動部材４４が仕切壁４２に沿って前後方向に移動し、シャッタ駆動部材４４とともにシャッタ７３が開放位置と閉塞位置との間で移動する。したがって、被駆動ギヤ１１１、第１伝達ギヤ９２、第２伝達ギヤ９３、第３伝達ギヤ９４およびラックギヤ４５は、シャッタ７３を開放位置から閉塞位置に移動させるための駆動機構（ギヤトレイン）を構成している。
（２）トナーカートリッジの着脱
トナーカートリッジ１１がスペース１２に装着されるときには、図１２Ａ〜１２Ｃに示されるように、そのスペース１２に対応するカバー部材１０１が開姿勢とされる。そして、筐体５１の左側面５６に突設された支持突起６３がカバー部材１０１の案内溝１０８に上方から差し込まれる。
【００８２】
このとき、支持突起６３は、図１２Ｃに破線で示されるように、カバー本体部１０２の内面および傾斜案内面１０９に沿って移動されることにより、案内溝１０８へと案内される。そして、支持突起６３が案内溝１０８の最深部に到達すると、トナーカートリッジ１１のスペース１２への装着が達成されて、トナーカートリッジ１１がドロワフレーム３１に支持される。
【００８３】
この状態において、各シャッタ駆動用突起４６がガイド用開口８５を介して各シャッタ駆動用開口８８に係合し、シャッタ７３とシャッタ駆動部材４４との結合が達成されている。また、トナーカートリッジ１１の被駆動ギヤ１１１が第１伝達ギヤ９２に噛合している。カバー部材１０１のギヤ歯１０７は、被駆動ギヤ１１１の上方に配置され、被駆動ギヤ１１１と噛合していない。
【００８４】
その後、カバー部材１０１が開姿勢から閉姿勢に変位される。カバー部材１０１の変位に伴って、ギヤ歯１０７が左側から見て時計回りに回転する。この回転の途中で、ギヤ歯１０７は、被駆動ギヤ１１１と噛合し、その噛合後のギヤ歯１０７の回転により、被駆動ギヤ１１１が左側から見て半時計回りに回転する。被駆動ギヤ１１１の回転により、被駆動ギヤ１１１から回転力が発生する。この回転力が第１伝達ギヤ９２および第２伝達ギヤ９３を介して第３伝達ギヤ９４に伝達されて、第３伝達ギヤ９４が左側から見て時計回りに回転する。第３伝達ギヤ９４の回転に伴って、シャッタ駆動部材４４が開口４３と対向する位置から開口４３と対向しない位置まで前方に移動する。このシャッタ駆動部材４４の移動に伴って、シャッタ７３は、シャッタ駆動部材４４と一体的に閉塞位置から前方に移動し、開放位置に配置される。
【００８５】
一方、カバー部材１０１が閉姿勢から開姿勢に変位される。このカバー部材１０１の変位に伴って、前述したトナーカートリッジ１１の装着時とは逆の動作により、シャッタ７３が開放位置から閉塞位置に移動される。
（３）作用効果
カバー部材１０１は、シャッタ７３を開放位置と閉塞位置との間で移動させるために操作される操作部材を兼ねている。これにより、操作部材をカバー部材１０１とは別部材として設ける必要がないので、カラープリンタ１の部品点数の削減および構成の簡素化を図ることができる。
４．変形例
ドロワフレーム３１の各スペース１２には、互いに色（種別）の異なるトナーカートリッジ１１が装着されるので、各スペース１２に非対応のトナーカートリッジ１１が誤装着されることを防止するための構成が採用されてもよい。
【００８６】
たとえば、図１３に示されるように、各カバー部材４７に、矩形状の開口３０１が互いに左右方向に位置を異ならせて形成され、これに対応して、図１４に示されるように、各スペース１２に装着されるべきトナーカートリッジ１１の筐体５１の上面５２に、開口３０１に嵌合可能なサイズの矩形状の突起３０２が形成されてもよい。
【００８７】
図１５Ａに示されるように、スペース１２に当該スペース１２に装着されるべきトナーカートリッジ１１が装着された場合には、カバー部材４７が開姿勢から閉姿勢に向けて変位されると、図１５Ｂに示されるように、開口３０１に突起３０２が嵌合し、カバー部材４７が閉姿勢をなす。しかしながら、図１６Ａに示されるように、スペース１２に当該スペース１２に装着されるべきトナーカートリッジ１１と異なる色のトナーカートリッジ１１が装着された場合には、カバー部材４７が開姿勢から閉姿勢に向けて変位されると、図１６Ｂに示されるように、開口３０１に突起３０２が嵌合せず、カバー部材４７が閉姿勢をなさない。
【００８８】
これにより、スペース１２に、当該スペース１２に装着されるべきトナーカートリッジ１１と異なる色のトナーカートリッジ１１が装着されること（トナーカートリッジ１１の誤装着）を防止できる。この構成では、開口３０１および突起３０２が誤装着防止部の一例である。
【００８９】
また、各カバー部材４７に形成された開口３０１の位置により、ユーザなどは、各カバー部材４７に対応するスペース１２に装着されるべきトナーカートリッジ１１の色を識別可能である。すなわち、開口３０１の位置は、各カバー部材４７に対応するスペース１２に装着されるべきトナーカートリッジ１１の色を表示する表示部の一例として機能する。そのため、トナーカートリッジ１１の誤装着を一層防止することができる。
【００９０】
その他、各実施形態の構成には、特許請求の範囲に記載された事項の範囲で種々の設計変更を施すことが可能である。
【符号の説明】
【００９１】
１      カラープリンタ
２      本体ケーシング
７      現像器
１１    トナーカートリッジ
１２    スペース
３１    ドロワフレーム
３７    操作部材
４７    カバー部材
５０    空間
５１    筐体
５８    連通口
７３    シャッタ
１０１  カバー部材
２０１  第１カバー部材
２０２  第２カバー部材
２０３  カバー部材
２０５  線ばね
２０７  線ばね
３０１  開口
３０２  突起
【図１】
0005170184.tif 000002
【図２】
0005170184.tif 000003
【図３】
0005170184.tif 000004
【図４Ａ】
0005170184.tif 000005
【図４Ｂ】
0005170184.tif 000006
【図５】
0005170184.tif 000007
【図６】
0005170184.tif 000008
【図７Ａ】
0005170184.tif 000009
【図７Ｂ】
0005170184.tif 000010
【図８】
0005170184.tif 000011
【図９Ａ】
0005170184.tif 000012
【図９Ｂ】
0005170184.tif 000013
【図９Ｃ】
0005170184.tif 000014
【図１０Ａ】
0005170184.tif 000015
【図１０Ｂ】
0005170184.tif 000016
【図１１Ａ】
0005170184.tif 000017
【図１１Ｂ】
0005170184.tif 000018
【図１２Ａ】
0005170184.tif 000019
【図１２Ｂ】
0005170184.tif 000020
【図１２Ｃ】
0005170184.tif 000021
【図１３】
0005170184.tif 000022
【図１４】
0005170184.tif 000023
【図１５Ａ】
0005170184.tif 000024
【図１５Ｂ】
0005170184.tif 000025
【図１６Ａ】
0005170184.tif 000026
【図１６Ｂ】
0005170184.tif 000027